(57)【特許請求の範囲】
【請求項１】
側面中央にリール孔が形成されたリールにシールテープが巻かれたシールテープ体の同リール孔内へ挿入可能な筒状部と、該筒状部の外周面に設けられており、同リール孔の内面と当接して摩擦力または外方に向かう力を発生させる滑り止め部材と、同筒状部の一端側に設けられると共に、鋭角に突出した山部と、隣接する山部の間の谷である切欠部が交互に連続して円周面にわたって形成され、同シールテープ体の側面と当接する円形鍔状のフランジ部とを有する保持体と、
前記シールテープ体を取り付けた前記保持体の取着部と、山型かつ前記フランジ部の前記切欠部と係合するサイズに形成され、同切欠部の方向に付勢して設けられた板バネの山部分が同切欠部と摺動するように当接し、正逆方向に回動可能に構成された制動部と、同シールテープの幅と略同等ないし幅広に形成された溝形の繰り出しガイド部とを有し、同シールテープが取着された前記保持体を内部に収納可能であると共に、同保持体が内部で回動可能な空間部が形成されたケース体とを備える
シールテープ用ケース。
【請求項２】
前記滑り止め部材が、表面の摩擦係数が大きく、かつ、可撓性を有する素材により形成される
請求項１記載のシールテープ用ケース。
【請求項３】
前記滑り止め部材が、側周面に筋状の凹凸を有する
請求項２記載のシールテープ用ケース。
【請求項４】
側面中央にリール孔が形成されたリールにシールテープが巻かれたシールテープ体の同リール孔内へ挿入可能な筒状部と、該筒状部の外周面に設けられ、側周面に筋状の凹凸を有し、表面の摩擦係数が大きく、かつ、可撓性を有する素材により形成され、同リール孔の内面と当接して摩擦力または外方に向かう力を発生させる滑り止め部材と、同筒状部の一端側に設けられると共に、鋭角に突出した山部と、隣接する山部の間の谷である切欠部が交互に連続して円周面にわたって形成され、同シールテープ体の側面と当接する円形鍔状のフランジ部とを有する保持体と、
前記シールテープ体を取り付けた前記保持体の取着部と、山型かつ前記フランジ部の前記切欠部と係合するサイズに形成され、同切欠部の方向に付勢して設けられた板バネの山部分が同切欠部と摺動するように当接して正逆方向に回動可能に構成されたテンションを加える制動部と、同シールテープの幅と略同等ないし幅広に形成された溝形の繰り出しガイド部とを有し、同シールテープが取着された前記保持体を内部に収納可能であると共に、同保持体が内部で回動可能な空間部と、ケース体からシールテープの先端部を繰り出す開口部と、繰り出し過ぎたシールテープを逆回転させるために指を入れることができる他の開口部とが形成されたケース体とを備える
シールテープ用ケース。
【発明の詳細な説明】
【技術分野】
【０００１】
本発明は、シールテープ用ケースに関するものである。更に詳しくは、シールテープのテンションを一定に保つことができ、かつ、使用者が意図しないシールテープの繰り出しを防止できるものに関する。
【背景技術】
【０００２】
従来から配管工事等においてシールテープが使用されている。
シールテープは、円筒芯に巻き付けただけのもの（以下、「ロール型シールテープ」と称する）のほか、円筒芯に鍔状のフランジが形成されたリールに巻かれたもの（以下、「リール型シールテープ」と称する）も流通している。
【０００３】
一般的に、シールテープは他の粘着テープよりも薄いうえに軟らかいため、ロール型シールテープは横方向（シールテープの厚み方向）から荷重が加わると形が歪んでその後の使用がしにくくなることがあり、また、巻かれたシールテープ側面にはゴミや埃が付着しやすい。
【０００４】
一方、リール型シールテープは、リールのフランジ部分が巻かれたシールテープ側面をカバーしているため、側面方向からの荷重によって変形しにくく、また、ゴミや埃が付着しないので、例えば、整頓されていない工具箱の中にそのまま入れたり、埃の多い内装工事現場で無造作に使用したりできて、利便性が良い。このようなリール型シールテープとしては、例えば、下記非特許文献１に開示されたものがある。
【先行技術文献】
【非特許文献】
【０００５】
【非特許文献１】アサダ株式会社  製品情報  シールテープインターネット＜URL：http://www.asada.co.jp/seihin/haikan/2_01.html＞
【発明の概要】
【発明が解決しようとする課題】
【０００６】
先に述べたようにリール型シールテープは利便性が良いため、作業現場において、作業者はリール型シールテープをそのまま使用する場合が多いが、シールテープは粘着面の粘着力も弱めであるため、テープ先端が作業対象物に巻き付けられている等の固定された状態でリール型シールテープを手元から落とすと、かなりの長さのシールテープが繰り出されることとなる。このとき、粘着面にゴミが付着すれば使用できなくなり、その部分が無駄になる。
【０００７】
また、シールテープは、水道管等の接続部分であってネジが切られた箇所に巻き付けて使用するものであるが、巻き付け作業の際には、テープへのテンションの掛け方が安定する必要がある。その理由は、テンションが強過ぎるとテープが切れ、弱過ぎると巻き付けたテープが外れてしまうためであり、それ故、シールテープに加えるテンションを安定させることができる手段が求められていた。
【０００８】
本発明は、以上の点を鑑みて創案されたものであり、シールテープのテンションを一定に保つことができ、かつ、使用者が意図しないシールテープの繰り出しを防止できるものを提供することを目的とするものである。
【課題を解決するための手段】
【０００９】
上記の目的を達成するために本発明のシールテープ用ケースは、側面中央にリール孔が形成されたリールにシールテープが巻かれたシールテープ体の同リール孔内へ挿入可能な筒状部と、該筒状部の外周面に設けられており、同リール孔の内面と当接して摩擦力または外方に向かう力を発生させる滑り止め部材と、同筒状部の一端側に形成されて同シールテープ体の側面と当接するフランジ部とを有する保持体と、前記シールテープ体を取り付けた前記保持体の取着部と、同シールテープ体または前記保持体と当接してテンションを加える制動部と、同シールテープの幅と略同等ないし幅広に形成された溝形の繰り出しガイド部とを有し、同シールテープが取着された前記保持体を内部に収納可能であると共に、同保持体が内部で回動可能な空間部が形成されたケース体とを備える。
【００１０】
ここで、シールテープ用ケースが上記構成の保持体およびケース体を備えることにより、繰り出すシールテープに一定のテンションを加えることができると共に、シールテープ用ケースが落下する等のアクシデントの際にも使用者が意図しないシールテープの繰り出しが発生することを防止できる。そして、シーリングテープを繰り出す際のテンションが安定することで、作業箇所への巻き付けの際にテープ切れが起きにくくなると共に、適度なテンションで作業ができる。これらの結果、テープの無駄の発生が抑制される。
【００１１】
また、保持体が有する筒状部とフランジ部によって、シールテープ体を中央と側面から保持することができる。加えて、フランジ部は、シールテープ体の側面とケース体内壁との間のスペーサーとなり、シールテープ体を取り付けた保持体が滑らかに回動するように作用する。
【００１２】
更に、筒状部とリール孔の間に配置された滑り止め部材によって、リール孔と保持体の隙間が充填されると共に、リール孔内壁と筒状部の表面との間に生じる摩擦力または外方に向かう力が働き、シールテープ体と保持体とが空転しないように保持することができる。
【００１３】
更にまた、ケース体によって、保持体の取着部によってシールテープ体を回動可能に取着して収納し、制動部がシールテープ体または前記保持体と当接してテンションを加え、繰り出しガイド部によってシールテープが幅方向に振れにくいようにすることができる。
【００１４】
前記滑り止め部材が、表面の摩擦係数が大きく、かつ、可撓性を有する素材により形成される場合は、シールテープ体を保持体に取り付ける際に、滑り止め部材が保持体側に撓みながらリール孔と保持体の間に入り込み、入り込んだ後は復元力によりリール孔と保持体の隙間を充填し、リール孔内壁と保持体の表面との間に生じる摩擦力によって、シールテープ体と保持体とが空転しないように保持することができる。
【００１５】
前記滑り止め部材が、側周面に筋状の凹凸を有する場合は、凸部が凹部側に変形しながらシールテープ体のリール孔と保持体の間に入り込み、入り込んだ後は凸部から生じる復元力によりリール孔側に当接する力が発生し、リール孔内壁と凸部との間に生じる摩擦力によって、シールテープ体と保持体とが空転しないように保持することができる。また、凹部の存在により凸部が変形した際の逃げ場となるので、多少狭めのリール孔にも対応することができる。
【００１６】
前記制動部が、前記フランジ部の外周面に形成された切欠と、該切欠と係合する形状であると共に、同切欠の方向に付勢して設けられた板バネとの組合せである場合は、シールテープ体が取着された保持体が回転する際に、フランジ部外周面の切欠と制動部の板バネが係合し、所要の力でシールテープを引っ張ると、板バネが撓んで係合が緩み、板バネが滑って次の切欠と係合するという動作が連続することにより、シールテープを引っ張ると常に所要のテンションがシールテープに一定に掛かることになる。
【００１７】
上記の目的を達成するために本発明のシールテープ用ケースは、側面中央に孔を有するロール状のシールテープの同孔内へ挿入可能な保持部と、該保持体と同シールテープの孔との隙間に配置された滑り止め要素と、同シールテープと当接してテンションを加える制動要素と、同シールテープを繰り出す際に幅方向の振れ止めをなすガイド部とを有し、同シールテープを内部に収納すると共に、同シールテープが内部で回動可能な空間部が形成されたケース体とを備える。
【００１８】
ここで、シールテープ用ケースが、上記構成の保持部、滑り止め要素、制動要素およびガイド部を有するケース体を備えることにより、繰り出すシールテープに一定のテンションを加えることができると共に、シールテープ用ケースを落としたりしてもシールテープが繰り出されることを防止でき、そして、シールテープが幅方向の振れることを防止できる。
【発明の効果】
【００１９】
本発明によるシールテープ用ケースによれば、シールテープのテンションを一定に保つことができ、かつ、使用者が意図しないシールテープの繰り出しと、シールテープが幅方向の振れることを防止できる。
【図面の簡単な説明】
【００２０】
【図１】本発明のシールテープ用ケースとシールテープ体が分離した状態を示す斜視説明図である。
【図２】図１に示すシールテープ用ケースの分解斜視説明図である。
【図３】図１に示すシールテープ用ケースの分解側面視説明図である。
【図４】シールテープ用ケースとシールテープ体を取着した状態を示す一部拡大説明図である。
【図５】保持体と制動部との係合状態を示す一部拡大説明図である。
【図６】図１に示すシールテープ用ケースの使用状態説明図である。
【図７】本発明の参考例を示した平面図である。
【図８】図７に示す参考例の動きを示した説明図である。
【発明を実施するための形態】
【００２１】
図１ないし図８を参照して、本発明の実施の形態を更に詳細に説明する。なお、各図における符号は、煩雑さを軽減し理解を容易にする範囲内で付している。
【００２２】
〔実施例〕
（シールテープ用ケース１）
図１ないし図６を参照して、本実施例に係るシールテープ用ケース１について説明する。シールテープ用ケース１は、ケース体１０と、ケース体１０に収納される保持体１１と、保持体１１に取着する滑り止め部材１２を備えている。
ケース体１０は、ケース本体部１０１に、保持体取着部１０２と、制動部１０３と、繰り出しガイド部１０５を有している。
【００２３】
ケース本体部１０１は、後述する保持体１１のフランジ部１１２の直径よりも大きい側壁１０７と、側壁１０７と直交する方向に突出した第１の周壁１０８および第２の周壁１０９を有している。第１の周壁１０８および第２の周壁１０９は同方向に突出しており、側壁１０７と共に囲む部分が空間部１０６となる。
なお、側壁１０７に対向する部分は開口しており、ここから保持体１１が出し入れされる。
【００２４】
保持体取着部１０２は、一端側が側壁１０７の略中央に固着され、他端側が外周面外側に突き出た返し（かえし）を有する自由端となっている。保持体取着部１０２の他端側には複数のスリットが形成されている。保持体１１を取着する際には、このスリットの存在によって保持体取着部１０２は周壁が内側に撓んで窄み、形状が復元した際には、返しが保持体１１の筒状部１１１の口縁部に引っ掛かって、ケース体１０から保持体１１が脱落することを防止する。
【００２５】
なお、本実施例では、スリットは等間隔に４本設けられているが、この数は適宜変更可能である。また、本実施例では、保持体取着部の他端側に返しを有する構造であるが、これは保持体の脱落防止手段の一例であり、他の公知手段により代替してもよい。
【００２６】
制動部１０３は、第２の周壁１０９の内側部分に設けられており、板バネ１０４を有している。板バネ１０４は、厚み方向から見て山型、かつ、後述する保持体１１の切欠部１１３の谷と係合するサイズに形成されており、保持体取着部１０２側へ付勢されている。
【００２７】
繰り出しガイド部１０５は、幅方向の断面視が溝形の部材であり、基端側が第２の周壁１０９に枢着され、ケース本体部１０１へ回動可能に取着されている。繰り出しガイド部１０５の溝幅は、第２の周壁１０９の幅と略同じである。繰り出しガイド部１０５の先端側近傍の内面には小突起（符号省略）が形成されており、側壁１０７に形成された窪みと嵌合させると、繰り出しガイド部１０５の回動を止めることができる。
【００２８】
保持体１１は、中央に挿通孔１１４を有する円筒形状の筒状部１１１と、筒状部１１１の一端側に形成された円形鍔状のフランジ部１１２と、フランジ部１１２の円周面わたって形成された切欠部１１３を有する。なお、挿通孔１１４は、その内径が保持体取着部１０２を内部に収めうる大きさに形成されている。
【００２９】
切欠部１１３を含むフランジ部１１２の直径は、空間部１０６内で回動可能な大きさに形成されている。フランジ部１１２は平板状であり、後述するシールテープ体２のフランジ部２２と当接して保持される。
【００３０】
本実施例において、切欠部１１３は、鋭角に突出した山部と、隣接する山部の間の谷が交互に連続する形状であって、平面視で歯車状になっている。なお、本実施例では、切欠部の山部は鋭角に突出した形状であるが、これに限定するものではなく、円弧状の山部と谷部が連続する態様等、適宜設定しうる。
【００３１】
滑り止め部材１２は、中央に挿通孔１２１を有する円筒体であり、周面には挿通孔１２１の軸線方向と平行に形成された複数の凸条部が形成されている。滑り止め部材１２は、可撓性を有しており、挿通孔１２１は、伸縮により滑り止め効果を高めるべく、保持体１１の筒状部１１１よりも径小に形成されている。
【００３２】
なお、本実施例において滑り止め部材は、発泡ゴム素材により形成されているが、これに限定するものではなく、例えば天然または合成ゴム等の各種樹脂を採用してもよく、少なくとも、その表面部分が可撓性または弾性を有し、かつ、摩擦係数が大きい素材であるか、または摩擦係数が大きくなる形状であることが好ましい。
【００３３】
（シールテープ体２）
本実施例において、シールテープ体２は、リール型シールテープを使用する。
シールテープ体２は、リール孔２３を有する円筒芯（符号省略）の両端部のそれぞれに形成された鍔状のフランジ部２２を有するリール２１と、リール２１の円筒芯に巻かれたシールテープ２４を含むものである。
【００３４】
なお、本実施例においては、シールテープ体としてリール型シールテープを用いて説明しているが、ロール型シールテープの使用を除外するものではない。
【００３５】
シールテープ用ケース１の使用方法について説明する。
滑り止め部材１２の挿通孔１２１へ、保持体１１の筒状部１１１を挿入して取着する。
【００３６】
滑り止め部材１２が取着された筒状部１１１をシールテープ体２のリール孔２３へ挿入し、保持体１１のフランジ部１１２にシールテープ体２のフランジ部２２が当接するまで押し込む。このとき、滑り止め部材１２外周面に形成された凸部は、図４に示す矢印方向に撓み、その後復元して外方に向かう力が生じてリール孔２３内壁に当接し、強い摩擦力が生じる。これにより、シールテープ体２と保持体１１との間で空転防止効果を奏する。
【００３７】
なお、シールテープ体２を保持体１１に取着した後にケース体１０へ取着してもよいし、保持体１１をケース体１０へ取着した後にシールテープ体２を保持体１１へ取着してもよい。
【００３８】
次に、シールテープ体２を取着した保持体１１を、ケース体１０に取着する。詳しくは、保持体１１の挿通孔１１４へケース体１０の保持体取着部１０２を挿入し、保持体取着部１０２先端の返しが筒状部１１１の口縁部に引っ掛かるまで押し込む。
【００３９】
シールテープ２４の先端部は、第２の周壁１０９の繰り出しガイド部１０５が設けられた側と、第１の周壁１０８の繰り出しガイド部１０５に相対する側との間に形成された開口部から繰り出される。このとき、繰り出しガイド部１０５は、シールテープ２４の幅方向への振れ止め効果を奏する。
【００４０】
シールテープ２４の繰り出しに伴い、シールテープ体２と共に保持体１１が回動する。この際に、板バネ１０４が図５に示す矢印の方向へ撓みながら縮み、切欠部１１３の山部斜面を摺動して次の切欠部１１３の谷部へ移動すると元の形に回復する。この動作が連続することで、繰り出すシールテープ２４に一定かつ適度なテンションが加わる。
【００４１】
なお、シールテープ２４の繰り出しがなされる開口部と逆の位置にある開口部は、シールテープ２４を繰り出し過ぎた際にそこから指を入れ、シールテープ体２をシールテープ２４の繰り出し方向と逆回転させることができる。
【００４２】
保持体１１は、筒状部１１１によってシールテープ体２を中央から保持し、フランジ部１１２によってシールテープ体２を側面から保持する。加えて、フランジ部１１２は、シールテープ体２の側面と側壁１０７との間のスペーサーとなり、シールテープ体２を取り付けた保持体１１が滑らかに回動するように作用する。
【００４３】
本実施例においては、シールテープ用ケースをシールテープ体が正逆回動可能な構造としているが、これに限定するものではなく、例えばラッチ構造等を採用して一方向にしか回動しないようにしたものであってもよい。
【００４４】
〔参考例〕
（シールテープ用ケース１ａ）
図７および図８に示すシールテープ用ケース１ａは、本発明の参考例である。なお、シールテープ用ケース１と同様の構成については説明および符号を省略し、相違する点についての説明を以下行う。
【００４５】
シールテープ用ケース１ａは、ケース本体部１０１ａに沿ってスライド可能な制動部１０３ａを備えている。
【００４６】
制動部１０３ａは、先端側が自由端であってケース本体部１０１ａ内壁に沿った形状であると共に弾性を有する押さえ片（符号省略）と、押さえ片の基端側に設けられた操作部（符号省略）を有している。押さえ片の先端には、溝形の繰り出しガイド部１０５ａが固着されている。
【００４７】
制動部１０３ａは、押さえ片がケース本体部１０１ａ内部に配置され、操作部がケース本体部１０１ａ外部に配置されており、ケース本体部１０１ａ周面に形成されたガイド溝（符号省略）に沿って前後にスライドして動くものである。
【００４８】
ケース本体部１０１ａ内にシールテープ体２を嵌め込み、制動部１０３ａを前進させると、押さえ片からケース本体部１０１ａ中央方向に押圧する力が発生し（図８参照）、押さえ片および繰り出しガイド部１０５ａがシールテープ体２に当接して、その回動に対する抵抗となる。これにより、繰り出すシールテープ２４に一定かつ適度なテンションが加わる。加えて、繰り出しガイド部１０５ａは、シールテープ２４の幅方向への振れ止め効果を奏する。
【００４９】
本実施例および変形例においては、シールテープ用ケースは、側壁の反対側が開口しており、この開口部には特に蓋体を設けていないが、これに限定するものではなく、蓋体を設けてもよい。
【００５０】
一般的に、シールテープの切断は作業者の手でちぎることにより行われることが多いため、本実施例および変形例においてはカッターを特に設けなかったが、例えば、繰り出しガイド部や、シールテープが繰り出される開口部周縁等にカッター部材を設けてもよい。また、同様の箇所に、利用時以外にシールテープ先端を保持するための要素を設けてもよい。
【００５１】
本実施例および変形例においては、シールテープ用ケースは、側壁の反対側が開口しており、この開口部には特に蓋体を設けていないが、これに限定するものではなく、蓋体を設けてもよい。
【００５２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００５３】
１、１ａ    シールテープ用ケース
１０    ケース体
１０１、１０１ａ    ケース本体部
１０２    保持体取着部
１０３、１０３ａ    制動部
１０４    板バネ
１０５、１０５ａ    繰り出しガイド部
１０６    空間部
１０７    側壁
１０８    第１の周壁
１０９    第２の周壁
１１    保持体
１１１    筒状部
１１２    フランジ部
１１３    切欠部
１１４    挿通孔
１２    滑り止め部材
１２１    挿通孔
２    シールテープ体
２１    リール
２２    フランジ部
２３    リール孔
２４    シールテープ
【要約】
【課題】シールテープのテンションを一定に保つことができ、かつ、使用者が意図しないシールテープの繰り出しを防止できるものを提供する。
【解決手段】シールテープ用ケース１は、ケース体１０と、ケース体１０に収納される保持体１１と、保持体１１に取着する滑り止め部材１２を備えている。ケース体１０は、ケース本体部１０１に、保持体取着部１０２と、制動部１０３と、繰り出しガイド部１０５を有している。保持体１１は、中央に挿通孔１１４を有する円筒形状の筒状部１１１と、筒状部１１１の一端側に形成された円形鍔状のフランジ部１１２と、フランジ部１１２の円周面わたって形成された切欠部１１３を有する。滑り止め部材１２は、中央に挿通孔１２１を有する円筒体であり、周面には挿通孔１２１の軸線方向と平行に形成された凸部が形成されている。
【選択図】図１【図１】
0005647368.tif 000002
【図２】
0005647368.tif 000003
【図３】
0005647368.tif 000004
【図４】
0005647368.tif 000005
【図５】
0005647368.tif 000006
【図６】
0005647368.tif 000007
【図７】
0005647368.tif 000008
【図８】
0005647368.tif 000009